(57)【特許請求の範囲】
【請求項１】
少なくとも１個以上のレンズを有するレンズ枠と、
前記レンズ枠が着脱可能に取り付けられたレンズ調整枠と、
前記レンズ調整枠が取り付けられた固定枠とを備え、
前記レンズ調整枠は、前記固定枠に対して、傾きが調整可能に取り付けられており、
前記レンズ調整枠の外周には、前記固定枠側に突出する取付部が形成されており、
前記取付部は、前記固定枠の外周に対して、光軸方向の位置が調整可能に取り付けられていることを特徴とする、レンズ鏡筒。
【請求項２】
前記レンズ枠は、少なくとも被写体に最も近接する第１のレンズを有する、請求項１記載のレンズ鏡筒。
【請求項３】
前記レンズ枠は、前記レンズ調整枠に対して、位置決めされている、請求項１又は２記載のレンズ鏡筒。
【請求項４】
前記レンズ枠は、前記レンズ調整枠に対して、光軸周りの周方向に間隔を開けて配置された少なくとも３つの位置決め部によって位置決めされており、
相隣接する前記位置決め部同士の間隔のうち、少なくとも２つの間隔が、互いに異なっている、請求項３記載のレンズ鏡筒。
【請求項５】
前記レンズ調整枠は、前記レンズ枠が取り付けられた状態で、前記固定枠に対して、傾きが調整可能になっている、請求項１〜４の何れか１つに記載のレンズ鏡筒。
【請求項６】
前記レンズ枠には、光軸方向に貫通する開口が形成されており、
前記レンズ調整枠は、前記開口に対応する部分において、前記固定枠に対して、部分的に取り付けられている、請求項１〜５の何れか１つに記載のレンズ鏡筒。
【請求項７】
前記レンズ調整枠は、前記固定枠に対して、光軸方向の位置が固定された状態で取り付けられた固定部を有する、請求項１〜６の何れか１つに記載のレンズ鏡筒。
【発明の詳細な説明】
【技術分野】
【０００１】
ここに開示された技術は、レンズ鏡筒に関するものである。
【背景技術】
【０００２】
近年、被写体の画像データを生成する撮像装置が急速に普及している。この撮像装置には、焦点距離を調整するためのレンズ鏡筒が搭載されている。撮像装置には、例えば、一体式又はレンズ交換式のカメラがある。一体式のカメラにはレンズ鏡筒が内蔵されている。レンズ交換式のカメラは、カメラ本体と、このカメラ本体に取り外し可能に装着されたレンズ鏡筒とを備えている。
【０００３】
このようなレンズ鏡筒においては、所望の光学性能を実現するため、レンズの位置調整が行われる。例えば、特許文献１のレンズ鏡筒では、そのような位置調整として、レンズの偏心調整を行うようになっている。
【先行技術文献】
【特許文献】
【０００４】
【特許文献１】特開平１１−２７１５８７号公報
【発明の概要】
【発明が解決しようとする課題】
【０００５】
ところで、特許文献１のものにおいては、レンズの位置調整を行った後、ごみの除去等メンテナンスのため、レンズ鏡筒を一旦分解すると、それを再度組み立てるとき、レンズの位置調整をもう一度行わなければならない。
【０００６】
ここに開示された技術は、かかる点に鑑みてなされたものであり、その目的とするところは、レンズの位置又は傾きの調整を行った後、レンズ鏡筒の分解・組立を行っても、そのレンズ位置又は傾きを維持することにある。
【課題を解決するための手段】
【０００７】
ここに開示された技術は、少なくとも１個以上のレンズを有するレンズ枠と、前記レンズ枠が着脱可能に取り付けられたレンズ調整枠と、前記レンズ調整枠が取り付けられた固定枠とを備え、前記レンズ調整枠は、前記固定枠に対して、傾きが調整可能に取り付けられており、前記レンズ調整枠の外周には、前記固定枠側に突出する取付部が形成されており、前記取付部は、前記固定枠の外周に対して、光軸方向の位置が調整可能に取り付けられているものとする。
【発明の効果】
【０００８】
前記レンズ鏡筒によれば、レンズの位置又は傾きの調整を行った後、レンズ枠の脱着を行うことによってレンズ鏡筒の分解・組立を行っても、そのレンズ位置又は傾きを維持することができる。
【図面の簡単な説明】
【０００９】
【図１】図１は、実施形態に係る撮像装置の斜視図である。
【図２】図２は、レンズ鏡筒を取り外したときのカメラ本体の斜視図である。
【図３】図３は、レンズ鏡筒を斜め前方から見た斜視図である。
【図４】図４は、レンズ鏡筒を斜め後方から見た斜視図である。
【図５】図５は、レンズ鏡筒の分解斜視図である。
【図６】図６は、広角端におけるレンズ鏡筒の断面図である。
【図７】図７は、望遠端におけるレンズ鏡筒の断面図である。
【図８】図８は、１群レンズ枠の前固定枠への取付構造の分解斜視図である。
【図９】図９は、１群レンズ枠の前固定枠への取付構造の斜視図である。
【図１０】図１０は、１群レンズ枠の前固定枠への取付構造の正面図である。
【図１１】図１１は、１群レンズ枠の前固定枠への取付構造の側面図である。
【図１２】図１２は、１群レンズ枠を取り外したときの図１０相当図である。
【図１３】図１３は、ズームモータ及び第１フォーカスモータのフレキシブルプリント基板の配設構造の斜視図である。
【図１４】図１４は、ズームモータ及び第１フォーカスモータのフレキシブルプリント基板の配設構造の断面図である。
【図１５】図１５は、ズームモータ及び第１フォーカスモータのフレキシブルプリント基板の配設構造の分解斜視図である。
【発明を実施するための形態】
【００１０】
以下、例示的な実施形態を図面に基づいて詳細に説明する。
＜１．撮像装置及びレンズ鏡筒の外観＞
図１に撮像装置１の斜視図を示す。撮像装置１は、レンズ交換式のデジタルカメラである。撮像装置１は、カメラ本体２と、カメラ本体２に取り外し可能に装着されたレンズ鏡筒３とを備えている。本実施形態では、便宜上、レンズ鏡筒３の光軸方向における被写体側を前とし、光軸方向におけるカメラ本体側を後として説明する。また、特段の説明が無い限り、周方向とは、光軸周りの周方向を意味し、半径方向とは、光軸を中心とする半径方向を意味する。
【００１１】
図２に、レンズ鏡筒３を取り外したときのカメラ本体２の斜視図を示す。カメラ本体２は、レンズ鏡筒３を取り付ける部分であるボディマウント２ａと、レンズ鏡筒３で形成された光学像を撮像して画像データに変換する撮像素子２ｂとを有している。
【００１２】
図３に、レンズ鏡筒３を斜め前方から見た斜視図を、図４に、レンズ鏡筒３を斜め後方から見た斜視図を示す。レンズ鏡筒３には、詳しくは後述するが、後端にレンズマウント１１０が設けられている。レンズ鏡筒３は、レンズマウント１１０及びボディマウント２ａを介してカメラ本体２と機械的及び電気的に接続される。レンズ鏡筒３は、全長固定型のズームレンズである。
＜２−１．レンズ鏡筒の構成＞
図５に、レンズ鏡筒３の分解斜視図を、図６に、広角端におけるレンズ鏡筒３の断面図を、図７に、望遠端におけるレンズ鏡筒３の断面図を示す。レンズ鏡筒３は、複数のレンズで構成される光学系Ｌと、レンズを保持する第１〜第７レンズ枠１０〜７０と、第１〜第７レンズ枠１０〜７０を支持及び収容する前固定枠８０及び後固定枠９０と、プリント基板１００と、レンズマウント１１０と、フィルタリング１２０と、フォーカスリング１３０と、中間リング１４０と、ズームリング１５０と、円筒状の外枠１６０とを備えている。
【００１３】
詳しくは、光学系Ｌは、被写体の光学像を形成するためのズームレンズ系であり、１群〜７群レンズＧ１〜Ｇ７で構成されている。１群レンズＧ１は、第１〜第３レンズＬ１〜Ｌ３で構成されている。２群レンズＧ２は、第４〜第６レンズＬ４〜Ｌ６で構成されている。２群レンズＧ２は、ズームレンズである。３群レンズＧ３は、第７〜第９レンズＬ７〜Ｌ９で構成されている。４群レンズＧ４は、第１０及び第１１レンズＬ１０，Ｌ１１で構成されている。４群レンズＧ４は、像ブレ補正用のレンズである。５群レンズＧ５は、第１２レンズＬ１２で構成されている。６群レンズＧ６は、第１３レンズＬ１３で構成されている。５群及び６群レンズＧ５，Ｇ６は、フォーカスレンズである。７群レンズＧ７は、第１４レンズＬ１４で構成されている。尚、第１レンズＬ１は、レンズＬ１〜Ｌ１４のうち最も被写体に近い第１のレンズである。
【００１４】
前固定枠８０は、円筒状の部材である。前固定枠８０の前端には、中央に開口を有する環状の前壁８１が設けられている。前固定枠８０の後端には、半径方向外方に突出するフランジ８２が設けられている。前固定枠８０には、後述する２群レンズ枠２０を駆動するズームモータ２３（図１３〜図１５を参照）が設けられている。
【００１５】
後固定枠９０は、円筒状の部材である。後固定枠９０の後端には、中央に開口を有する環状の後壁９１が設けられている。後壁９１の開口縁には、さらに後方に延びる円筒部９２が設けられている。後固定枠９０には、後述する５群レンズ枠５０を駆動する第１フォーカスモータ５２（図１３〜図１５を参照）と後述する６群レンズ枠６０を駆動する第２フォーカスモータ（図示省略）とが設けられている。
【００１６】
前固定枠８０と後固定枠９０とは、連結されて、一体的な円筒を形成する。前固定枠８０及び後固定枠９０内には、光軸方向に延びる２本の第１シャフト８３と、光軸方向に延びる２本の第２シャフト８４とが設けられている。第１シャフト８３は、前固定枠８０の前壁８１と後固定枠９０の後壁９１とで支持されている。第２シャフト８４は、前固定枠８０のフランジ８２と後固定枠９０の後壁９１とで支持されている。前固定枠８０及び後固定枠９０は、その前端において１群レンズ枠１０を支持し、その後端において７群レンズ枠７０を支持し、その内方において２群〜６群レンズ枠２０〜６０を収容している。図５では、説明の便宜上、２群レンズ枠２０が前固定枠８０よりも前方へ露出した状態を図示している。
【００１７】
１群レンズ枠１０は、中央に開口を有する環状の部材であって、該開口において１群レンズＧ１を保持している。１群レンズ枠１０は、調整ベース１５（レンズ調整枠）を介して、前固定枠８０の前壁８１の前面に取り付けられている。調整ベース１５は、光軸ＡＸに対する１群レンズＧ１の傾きを調整するための部材である。調整ベース１５は、前固定枠８０に対して、光軸ＡＸに対する傾きが調整可能に取り付けられている。
【００１８】
２群レンズ枠２０は、中央に開口を有する環状の部材であって、該開口において２群レンズＧ２を保持している。２群レンズ枠２０は、軸受部２２を介して第１シャフト８３に、光軸方向に移動可能に支持されている。２群レンズ枠２０は、前固定枠８０に設けられた前記ズームモータ２３によって駆動され、光軸方向に移動する。
【００１９】
３群レンズ枠３０は、中央に開口を有する環状の部材であって、該開口において第７レンズＬ７を保持する前枠３１と、中央に開口を有する環状の部材であって、該開口において第８及び第９レンズＬ８，Ｌ９を保持する後枠３２とを有している。前枠３１と後枠３２との間には、絞り機構３３が設けられている。３群レンズ枠３０は、後固定枠９０の前部に固定されている。
【００２０】
４群レンズ枠４０は、中央に開口を有する環状の部材であって、該開口において４群レンズＧ４を保持している。４群レンズ枠４０は、光軸ＡＸに直交する平面内で移動可能な状態で、３群レンズ枠３０の後枠３２に支持されている。４群レンズ枠４０には、２つのマグネット（図示省略）が設けられている。一方、後枠３２には、２つのコイル（図示省略）が設けられている。４群レンズ枠４０は、後枠３２のコイルにより発生させられる磁力によって駆動され、光軸ＡＸに直行する平面内で移動する。
【００２１】
５群レンズ枠５０は、中央に開口を有する環状の部材であって、該開口において５群レンズＧ５を保持している。５群レンズ枠５０は、軸受部５１を介して第２シャフト８４に、光軸方向に移動可能に支持されている。５群レンズ枠５０は、後固定枠９０に設けられた前記第１フォーカスモータ５２によって駆動され、光軸方向に移動する。
【００２２】
６群レンズ枠６０は、中央に開口を有する環状の部材であって、該開口において６群レンズＧ６を保持している。６群レンズ枠６０は、軸受部６１を介して第１シャフト８３に、光軸方向に移動可能に支持されている。６群レンズ枠６０は、後固定枠９０に設けられた前記第２フォーカスモータによって駆動され、光軸方向に移動する。
【００２３】
７群レンズ枠７０は、中央に開口を有する環状の部材であって、該開口において７群レンズＧ７を保持している。７群レンズ枠７０は、後固定枠９０の円筒部９２の後端面に取り付けられている。
【００２４】
このように、１群レンズ枠１０、３群レンズ枠３０及び７群レンズ枠７０は、前固定枠８０又は後固定枠９０に固定的に支持されている。２群レンズ枠２０、５群レンズ枠５０及び６群レンズ枠６０は、光軸方向に移動可能に前固定枠８０又は後固定枠９０に支持されている。４群レンズ枠４０は、光軸ＡＸに直交する平面内で移動可能な状態で３群レンズ枠３０に支持されている。
【００２５】
レンズマウント１１０は、中央に開口を有する環状の部材であって、ボディマウント２ａに装着可能に構成されている。レンズマウント１１０は、後固定枠９０の後壁９１に取り付けられている。
【００２６】
プリント基板１００には、少なくとも、レンズマイコン（図示省略）と、メモリとが設けられている。プリント基板１００には、レンズ鏡筒３の電装部品がフレキシブルプリント基板を介して接続される。プリント基板１００は、レンズマウント１１０に設けられたマウント接点（図示省略）とも電気的に接続されている。すなわち、プリント基板１００は、レンズ鏡筒３がカメラ本体２に装着されることによって、カメラ本体２と電気的に接続される。プリント基板１００は、後固定枠９０の後壁９１とレンズマウント１１０との間に配設されている。
【００２７】
フィルタリング１２０、フォーカスリング１３０、中間リング１４０、ズームリング１５０及び外枠１６０は、前側からこの順で光軸方向に並んでいる。これらは、外部に露出する外装部材である。
【００２８】
フィルタリング１２０は、光学フィルタ、コンバージョンレンズ及びレンズフード等を取り付けるための部材である。フィルタリング１２０は、前固定枠８０の前壁８１の前面に取り付けられている。
【００２９】
中間リング１４０は、前固定枠８０の外周に挿嵌され、前固定枠８０に回転不能に取り付けられている。中間リング１４０の内周面には、フォーカスリング１３０及びズームリング１５０の回転量をそれぞれ検出するフォトセンサ（図示省略）が設けられている。
【００３０】
外枠１６０は、後固定枠９０の外周に挿嵌され、後固定枠９０に回転不能に取り付けられている。外枠１６０の外周面には、ズームレバー１６１が外方に露出する状態で設けられている。
【００３１】
フォーカスリング１３０は、前固定枠８０の外周に挿嵌され、光軸ＡＸ回りに回転自在な状態で、フィルタリング１２０及び中間リング１４０に支持されている。
【００３２】
ズームリング１５０は、前固定枠８０の外周と後固定枠９０の外周とに跨って挿嵌され、光軸ＡＸ回りに回転自在な状態で、中間リング１４０及び後固定枠９０に支持されている。
＜２−２．レンズ鏡筒の動作＞
このように構成されたレンズ鏡筒３においては、ズームリング１５０及びズームレバー１６１の何れかを操作することによってズーム倍率を手動で調整することができる。また、フォーカスリング１３０を操作することによって合焦状態を手動で調整することができる。
【００３３】
詳しくは、ズームリング１５０が回転操作されると、その回転量がフォトセンサで検出され、その検出信号がフレキシブルプリント基板を介してプリント基板１００へ送信される。ズームレバー１６１を操作した場合も同様に、操作量に応じた検出信号が、プリント基板１００へ送信される。プリント基板１００では、レンズマイコンが検出信号に応じた駆動信号をズームモータ２３へ出力する。ズームモータ２３は、駆動信号に応じて作動し、２群レンズ枠２０を光軸方向へ移動させる。こうして、ズーム倍率が手動で調整される。
【００３４】
このとき、５群及び６群レンズ枠５０，６０は、２群レンズ枠２０に連動して駆動される。詳しくは、レンズマイコンは、予め記憶されたトラッキングテーブルに基づいて、焦点距離が変化する前後で合焦状態が維持できる位置に５群及び６群レンズ枠５０，６０を移動させる。すなわち、レンズマイコンは、前記検出信号が入力されると、ズームモータ２３へ駆動信号を出力するだけでなく、第１及び第２フォーカスモータへも駆動信号を出力する。その結果、５群及び６群レンズ枠５０，６０は、２群レンズ枠２０の位置に応じた位置へ移動させられる。
【００３５】
ただし、フォーカスリング１３０を操作することによって５群及び６群レンズ枠５０，６０の位置を手動で調整することもできる。詳しくは、フォーカスリング１３０が回転操作されると、その回転量がフォトセンサで検出され、その検出信号がフレキシブルプリント基板を介してプリント基板１００へ送信される。プリント基板１００では、レンズマイコンが検出信号に応じた駆動信号を第１及び第２フォーカスモータへ出力する。第１及び第２フォーカスモータは、駆動信号に応じて作動し、５群及び６群レンズ枠５０，６０を光軸方向へ移動させる。こうして、合焦状態が手動で調整される。
＜３−１．１群レンズ枠の前固定枠への取付構造の詳細構成＞
図８に１群レンズ枠１０の前固定枠８０への取付構造の分解斜視図を、図９に１群レンズ枠１０の前固定枠８０への取付構造の斜視図を、図１０に１群レンズ枠１０の前固定枠８０への取付構造の正面図を、図１１に１群レンズ枠１０の前固定枠８０への取付構造の側面図を示す。
【００３６】
図８に示すように、１群レンズ枠１０は、調整ベース１５に固定ビス１２によって着脱可能に取り付けられている。調整ベース１５は、前固定枠８０に固定ビス１６及び１群調整ピン１７によって取り付けられている。前固定枠８０に対する調整ベース１５の傾きは、１群調整ピン１７によって調整可能になっている。ここで、「傾き」とは、光軸ＡＸに対する調整ベース１５の傾きである。
【００３７】
１群レンズ枠１０は、筒状の本体１１Ａと、この本体１１Ａに半径方向外方に突出するように設けられたフランジ１１Ｂとを有している。このフランジ１１Ｂには、光軸方向に貫通する３つの第１貫通孔１１ａが形成されている。これらの第１貫通孔１１ａは、周方向に互いに異なる間隔で配置されている。図８〜図１０に示すように、フランジ１１Ｂにおける各第１貫通孔１１ａの周方向両側には、光軸方向に貫通する第２貫通孔１１ｂ（位置決め部の一部に相当）がそれぞれ形成されている。第１貫通孔１１ａが、周方向に互いに異なる間隔で配置されているため、各第１貫通孔１１ａの周方向両側に形成された３対の第２貫通孔１１ｂも、周方向に互いに異なる間隔で配置されている。１対の第２貫通孔１１ｂのうち一方が長孔形状を、他方が円孔形状をなしている。図８及び図１０に示すように、フランジ１１Ｂにおける第１貫通孔１１ａの周方向一方側近傍には、光軸方向に貫通する第１切欠き１１ｃ（開口）が形成されている。フランジ１１Ｂにおける相隣接する第１貫通孔１１ａの間には、光軸方向に貫通する第２切欠き１１ｄがそれぞれ形成されている。これらの第２切欠き１１ｄは、周方向に互いに同じ間隔で配置されている。
【００３８】
図８に示すように、調整ベース１５における、フランジ１１Ｂの各第１貫通孔１１ａに対応する部分には、光軸方向に貫通する第１貫通孔１５ａがそれぞれ形成されている。この第１貫通孔１５ａの周縁は、調整ベース１５の前面から前方に僅かに突出している。図８及び図１０に示すように、調整ベース１５における、フランジ１１Ｂの各第２貫通孔１１ｂに対応する部分には、前方に突出する突起１５ｂ（位置決め部の一部に相当）がそれぞれ形成されている。前記３対の第２貫通孔１１ｂが、周方向に互いに異なる間隔で配置されているため、３対の第２貫通孔１１ｂに対応する３対の突起１５ｂも、周方向に互いに異なる間隔で配置されている。調整ベース１５における、フランジ１１Ｂの第１切欠き１１ｃに対応する部分は、前面が他の部分よりもくぼむ薄肉部１５ｃ（固定部）をなしている。この薄肉部１５ｃは、他の部分よりも薄肉であるが故に剛性が低く、変形可能となっている。図８に示すように、薄肉部１５ｃには、光軸方向に貫通する第２貫通孔１５ｄが形成されている。この第２貫通孔１５ｄの周縁は、薄肉部１５ｃの前面から前方に僅かに突出している。図８〜図１０に示すように、薄肉部１５ｃにおける第２貫通孔１５ｄの周方向一方側には、光軸方向に貫通する第３貫通孔１５ｅが形成されている。調整ベース１５における、フランジ１１Ｂの各第２切欠き１１ｄに対応する部分には、光軸方向に貫通する第４貫通孔１５ｆが形成されている。図８〜図１１に示すように、調整ベース１５の外周には、後方に突出する２つの取付片１５ｇ（取付部）が形成されている。これらの取付片１５ｇ及び薄肉部１５ｃは、周方向に互いに同じ間隔で配置されている。図８、図９及び図１１に示すように、取付片１５ｇには、周方向に延びて半径方向に貫通する長孔１５ｈが形成されている。
【００３９】
図８に示すように、前固定枠８０の前壁８１の前面における、調整ベース１５の各第１貫通孔１５ａに対応する部分には、前方に開口する凹孔８１ａがそれぞれ形成されている。前壁８１の前面における、調整ベース１５の第２貫通孔１５ｄに対応する部分には、前方に開口する固定孔８１ｂが形成されている。この固定孔８１ｂの周縁は、前壁８１の前面から前方に僅かに突出している。図８及び図１０に示すように、前壁８１の前面における、調整ベース１５の第３貫通孔１５ｅに対応する部分には、前方に突出する第１突起８１ｃが形成されている。前壁８１の前面における、調整ベース１５の各第４貫通孔１５ｆに対応する部分には、前方に突出する第２突起８１ｄがそれぞれ形成されている。図８、図９及び図１１に示すように、前壁８１の外周における、調整ベース１５の各取付片１５ｇに対応する部分には、取付片１５ｇが載る取付座８１ｅがそれぞれ形成されている。図８に示すように、各取付座８１ｅの外面における長孔１５ｈに対応する部分には、半径方向外方に開口する円孔８１ｆが形成されている。
【００４０】
そして、１群レンズ枠１０は、その第１貫通孔１１ａ及び調整ベース１５の第１貫通孔１５ａに挿通された固定ビス１２によって、調整ベース１５に取付固定されている。このとき、１群レンズ枠１０の各第２貫通孔１１ｂに調整ベース１５の各突起１５ｂが挿嵌されることによって、調整ベース１５に対する１群レンズ枠１０の位置決めがされる。
【００４１】
調整ベース１５は、その第２貫通孔１５ｄ及び前固定枠８０の前壁８１の固定孔８１ｂに挿通された固定ビス１６と調整ベース１５の取付片１５ｇの長孔１５ｈ及び前壁８１の取付座８１ｅの円孔８１ｆに挿通された１群調整ピン（偏心ピン）１７とによって、前壁８１に取り付けられている。このとき、調整ベース１５の第３貫通孔１５ｅに前壁８１の第１突起８１ｃが挿嵌されるとともに、調整ベース１５の各第４貫通孔１５ｆに前壁８１の各第２突起８１ｄが挿嵌されることによって、前壁８１に対する調整ベース１５の位置決めがされる。
【００４２】
前記１群調整ピン１７は、第１軸１７ａと、この第１軸１７ａに偏心して設けられた第２軸１７ｂとを有している。第１軸１７ａは、調整ベース１５の取付片１５ｇの長孔１５ｈに回転可能に嵌合されるようになっている。第２軸１７ｂは、前壁８１の取付座８１ｅの円孔８１ｆに回転可能に嵌合されるようになっている。
【００４３】
以上のようにして、１群レンズ枠１０は、調整ベース１５を介して、前固定枠８０の前壁８１に取り付けられている。
＜３−２．１群レンズ枠の前固定枠への取付け方法及び取外し方法＞
以下、１群レンズ枠１０の調整ベース１５を介した前固定枠８０への取付けについて説明する。
【００４４】
最初に、１群レンズ枠１０の調整ベース１５への取付けについて説明する。
【００４５】
まず、１群レンズ枠１０のフランジ１１Ｂと調整ベース１５とを重ね合わせるとともに、１群レンズ枠１０の本体１１Ａを調整ベース１５の中央開口に挿嵌する。
【００４６】
次に、１群レンズ枠１０の各第２貫通孔１１ｂに調整ベース１５の各突起１５ｂを挿入させることによって、調整ベース１５に対する１群レンズ枠１０の位置決めをする。そして、固定ビス１２を１群レンズ枠１０の第１貫通孔１１ａに挿通させて調整ベース１５の第１貫通孔１５ａにネジ止めすることによって、１群レンズ枠１０を調整ベース１５に締結固定する。
【００４７】
続いて、１群レンズ枠１０が取り付けられた調整ベース１５の前固定枠８０への取付けについて説明する。
【００４８】
まず、調整ベース１５と前固定枠８０の前壁８１とを重ね合わせるとともに、調整ベース１５の取付片１５ｇと前壁８１の取付座８１ｅとを重ね合わせる。このとき、調整ベース１５の第３貫通孔１５ｅに前壁８１の第１突起８１ｃを挿入させるとともに、調整ベース１５の各第４貫通孔１５ｆに前壁８１の各第２突起８１ｄを挿入させることによって、前壁８１に対する調整ベース１５の位置決めをする。
【００４９】
次に、固定ビス１６を調整ベース１５の第２貫通孔１５ｄに挿通して前壁８１の固定孔８１ｂにネジ止めする。そして、１群調整ピン１７を取付片１５ｇの長孔１５ｈ及び取付座８１ｅの円孔８１ｆに嵌入する。これらにより、調整ベース１５を前壁８１に締結固定する。
【００５０】
この状態で、１群調整ピン１７を回転させることによって、光軸ＡＸに対する１群レンズＧ１の傾きを調整することができる。つまり、前固定枠８０に対する調整ベース１５の薄肉部１５ｃの、光軸方向の位置は、固定される。一方、１群調整ピン１７の第１及び第２軸１７ａ，１７ｂが、互いに偏心しているため、１群調整ピン１７を第２軸１７ｂ周りに回転させると、第１軸１７ａが長孔１５ｈの周縁を光軸方向に押圧する。これにより、前固定枠８０に対する調整ベース１５の取付片１５ｇの、光軸方向の位置を調整することができる。このとき、薄肉部１５ｃは僅かに変形する。これにより、調整ベース１５における薄肉部１５ｃ以外の他の部分が変形することを抑制することができる。このようにして、前固定枠８０に対して、光軸ＡＸに対する調整ベース１５の傾きを調整することができる。そのため、光軸ＡＸに対する１群レンズＧ１の傾きを調整することができる。
【００５１】
最後に、１群調整ピン１７を長孔１５ｈ及び円孔８１ｆに接着固定する。
【００５２】
以上のようにして、１群レンズ枠１０を調整ベース１５を介して前固定枠８０に取り付ける。
【００５３】
図１２に１群レンズ枠１０を取り外したときの図９相当図を示す。
【００５４】
１群レンズ枠１０を前固定枠８０から取り外すときは、固定ビス１２を取り外すことによって、１群レンズ枠１０を前固定枠８０から取り外す。このとき、前固定枠８０に対する調整ベース１５の固定は維持される。
【００５５】
また、１群レンズ枠１０を前固定枠８０から一旦取り外した後、前固定枠８０に再度取り付けるときは、１群レンズ枠１０を、前固定枠８０に対して固定された調整ベース１５に、前述と同じようにして固定する。これにより、１群レンズ枠１０の脱着を行っても、前固定枠８０に対する調整ベース１５の傾き調整が不要となる。
＜４．ズームモータのフレキシブルプリント基板の配設構造の詳細構成＞
図１３にズームモータ２３のフレキシブルプリント基板２５の配設構造の斜視図を、図１４にズームモータ２３のフレキシブルプリント基板２５の配設構造の断面図を、図１５にズームモータ２３のフレキシブルプリント基板２５の配設構造の分解斜視図を示す。
【００５６】
図１３〜図１５に示すように、ズームモータ２３は、モータ本体２３ａと、出力ネジ２３ｂとを有している。図１３及び図１５に示すように、ズームモータ２３は、取付板２４を介して、前固定枠８０に取り付けられている。この取付板２４は、光軸方向に延びる板本体２４ａと、この板本体２４ａの前端から半径方向内方に延びる前板２４ｂと、板本体２４ａの後端から半径方向内方に延びる後板２４ｃとを有している。前板２４ｂには、出力ネジ２３ｂの先端が回転可能に支持されている。後板２４ｃには、モータ本体２３ａの前面が取り付けられている。
【００５７】
図１５に示すように、前固定枠８０の外周には、光軸方向に延びて半径方向外方に開口するネジ収容凹孔８５が形成されている。図１３及び図１５に示すように、前固定枠８０の外周におけるネジ収容凹孔８５の周方向両側の側縁には、光軸方向に延びる取付座８６が形成されている。これらのネジ収容凹孔８５及び取付座８６は、前固定枠８０の後端から後方に突出している。取付座８６には、出力ネジ２３ｂがネジ収容凹孔８５に収容された状態で、板本体２４ａが取り付けられている。
【００５８】
図１５に示すように、後固定枠９０の外周の前端におけるネジ収容凹孔８５及び取付座８６の突出部に対応する部分には、この突出部が嵌合する嵌合孔９３が形成されている。図１３〜図１５に示すように、後固定枠９０の外周における嵌合孔９３の後方近傍には、半径方向外方に開口してモータ本体２３ａが収容される本体収容凹孔９４が形成されている。この本体収容凹孔９４とネジ収容凹孔８５との間に配置された壁には、出力ネジ２３ｂの基端側が収容される収容孔が形成されている。
【００５９】
モータ本体２３ａの外周の周方向一方側には、フレキシブルプリント基板２５が接続されている。このフレキシブルプリント基板２５は、モータ本体２３ａへの接続部位から半径方向内方に折り返された後、モータ本体２３ａの外周と本体収容凹孔９４の内周との間を通って周方向他方側に延び、その後、本体収容凹孔９４の周方向他方側の側縁に出て、そこから光軸方向両側に延びている。この前方に延びる部分は、前固定枠８０の外周及び板本体２４ａの外面に取り付けられている。後方に延びる部分は、後固定枠９０の外周に取り付けられている。後方に延びる部分の後端は、プリント基板１００（図４等を参照）に接続される。
【００６０】
このようにして、ズームモータ２３のフレキシブルプリント基板２５が配設されている。
＜５．第１フォーカスモータのフレキシブルプリント基板の配設構造の詳細構成＞
図１３に第１フォーカスモータ５２のフレキシブルプリント基板５４の配設構造の斜視図を、図１４に第１フォーカスモータ５２のフレキシブルプリント基板５４の配設構造の断面図を、図１５に第１フォーカスモータ５２のフレキシブルプリント基板５４の配設構造の分解斜視図を示す。
【００６１】
図１３〜図１５に示すように、第１フォーカスモータ５２は、モータ本体５２ａと、出力ネジ５２ｂとを有している。第１フォーカスモータ５２は、取付板５３を介して、後固定枠９０に取り付けられている。この取付板５３は、光軸方向に延びる板本体５３ａと、この板本体５３ａの前端から半径方向内方に延びる前板５３ｂと、板本体５３ａの後端から半径方向内方に延びる後板５３ｂとを有している。前板５３ｂには、出力ネジ５２ｂの先端が回転可能に支持されている。後板５３ｂには、モータ本体５２ａの前面が取り付けられている。
【００６２】
図１５に示すように、後固定枠９０の外周における本体収容凹孔９４の周方向一方側近傍には、光軸方向に延びて半径方向外方に開口するネジ収容凹孔９５が形成されている。図１３及び図１５に示すように、後固定枠９０の外周におけるネジ収容凹孔９５の周方向両側の側縁には、光軸方向に延びる取付座９６がそれぞれ形成されている。これらの取付座９６には、出力ネジ５２ｂがネジ収容凹孔９５に収容された状態で、板本体５３ａが取り付けられている。後固定枠９０の外周におけるネジ収容凹孔９５の後方近傍には、半径方向外方に開口してモータ本体５２ａが収容される本体収容凹孔９７が形成されている。
【００６３】
図１３〜図１５に示すように、モータ本体５２ａの外周の周方向一方側には、フレキシブルプリント基板５４が接続されている。このフレキシブルプリント基板５４は、モータ本体５２ａへの接続部位から半径方向内方に折り返された後、モータ本体５２ａの外周と本体収容凹孔９７の内周との間を通って周方向他方側に延び、その後、本体収容凹孔９７の周方向他方側の側縁に出て、そこから光軸方向両側に延びている。この前方に延びる部分は、板本体５３ａの外面に取り付けられている。後方に延びる部分の後端は、プリント基板１００に接続される。
【００６４】
このようにして、第１フォーカスモータ５２のフレキシブルプリント基板５４が配設されている。
＜６．ズームモータ及び第１フォーカスモータのフレキシブルプリント基板の配設方法＞
以下、ズームモータ２３及び第１フォーカスモータ５２のフレキシブルプリント基板２５，５４の配設について説明する。
【００６５】
まず、ズームモータ２３及びフレキシブルプリント基板２５を取付板２４に固定する。次に、ズームモータ２３のモータ本体２３ａが後固定枠９０の本体収容凹孔９４に、出力ネジ２３ｂが前固定枠８０のネジ収容凹孔８５に収容された状態で、取付板２４の板本体２４ａを前固定枠８０の取付座８６に固定するとともに、フレキシブルプリント基板２５を前固定枠８０及び後固定枠９０の外周に固定する。
【００６６】
また、第１フォーカスモータ５２及びフレキシブルプリント基板５４を取付板５３に固定する。次に、第１フォーカスモータ５２のモータ本体５２ａが後固定枠９０の本体収容凹孔９７に、出力ネジ５２ｂがネジ収容凹孔９５に収容された状態で、取付板５３の板本体５３ａを取付座９６に固定する。
【００６７】
最後に、外枠１６０を後固定枠９０に取り付ける。
＜７．まとめ＞
本実施形態のレンズ鏡筒３は、第１〜第３レンズＬ１〜Ｌ３を有する１群レンズＧ１を保持する１群レンズ枠１０と、１群レンズ枠１０を着脱可能に取り付けた調整ベース１５と、調整ベース１５を取り付けた前固定枠８０と、を備え、前固定枠８０に対する調整ベース１５の傾きを調整可能になっている。
【００６８】
この構成によれば、１群レンズ枠１０を調整ベース１５に着脱可能に取り付けているため、前固定枠８０に対する調整ベース１５の傾きを調整することによって１群レンズＧ１の傾き調整を行った後、１群レンズ枠１０の脱着を行うことによってレンズ鏡筒３の分解・組立を行っても、そのレンズ傾きを維持することができる。したがって、ごみ除去等、メンテナンスを容易に行うことができる。
【００６９】
また、調整ベース１５の外周には、前固定枠８０側に突出する取付片１５ｇが形成されており、取付片１５ｇは、前固定枠８０の外周に形成された取付座８１ｅに光軸方向の位置が調整可能に取り付けられており、前固定枠８０に対する取付片１５ｇの光軸方向の位置を調整することによって、前固定枠８０に対する調整ベース１５の傾きを調整可能になっている。
【００７０】
この構成によれば、調整ベース１５の外周に前固定枠８０側に突出するように形成された取付片１５ｇを、前固定枠８０の外周に形成された取付座８１ｅに光軸方向の位置が調整可能に取り付けているため、１群レンズ枠１０が調整ベース１５に取り付けられた状態で、調整ベース１５の取付片１５ｇを前固定枠８０の取付座８１ｅに取り付けたり、前固定枠８０に対する調整ベース１５の取付片１５ｇの、光軸方向の位置を調整したりするとき、１群レンズ枠１０がその取付や調整の邪魔になることを抑制することができる。さらに、前固定枠８０に対する調整ベース１５の取付片１５ｇの、光軸方向の位置を調整することによって、前固定枠８０に対する調整ベース１５の傾きを調整することができる。その上、取付片１５ｇ及び取付座８１ｅを調整ベース１５及び前固定枠８０の外周にそれぞれ配置しているため、前固定枠８０に対する調整ベース１５の傾きを調整すべく、バネ部材を調整ベース１５と前固定枠８０との間に配置した場合（その詳細は後述する）と比較して、レンズ鏡筒３の全長を短縮することができる。
【００７１】
また、１群レンズ枠１０は、レンズＬ１〜Ｌ１４のうち最も被写体に近い第１レンズＬ１を有する１群レンズＧ１を保持している。
【００７２】
ところで、１群レンズＧ１と２群レンズＧ２との間のごみが、レンズ鏡筒３内のごみのうち最も目に付くごみである。
【００７３】
ここで、本実施形態では、上記のように、１群レンズ枠１０を調整ベース１５に着脱可能に取り付けているため、最も目に付く、１群レンズＧ１と２群レンズＧ２との間のごみの除去を容易に行うことができる。
【００７４】
また、１群レンズ枠１０は、調整ベース１５に位置決めされている。
【００７５】
この構成によれば、１群レンズ枠１０を調整ベース１５に所定の位置、所定の傾きで取り付けることができる。
【００７６】
また、１群レンズ枠１０における３つの第１貫通孔１１ａの周方向両側には、光軸方向に貫通する第２貫通孔１１ｂがそれぞれ形成されており、調整ベース１５における各第２貫通孔１１ｂに対応する部分には、前方に突出する突起１５ｂがそれぞれ形成されており、３対の第２貫通孔１１ｂと３対の突起１５ｂとは、それぞれ、周方向に互いに異なる間隔で配置されており、第２貫通孔１１ｂに突起１５ｂが挿嵌されることによって、調整ベース１５に対する１群レンズ枠１０の位置決めがされる。
【００７７】
この構成によれば、調整ベース１５に対する１群レンズ枠１０の位置が正しくないと、第２貫通孔１１ｂに突起１５ｂを挿嵌することができないため、確実に、１群レンズ枠１０を調整ベース１５に所定の位置、所定の傾きで取り付けることができる。
【００７８】
また、調整ベース１５は、１群レンズ枠１０が取り付けられた状態で、前固定枠８０に対する調整ベース１５の傾きを調整可能になっている。
【００７９】
この構成によれば、１群レンズ枠１０が調整ベース１５に取り付けられた状態で、前固定枠８０に対する調整ベース１５の傾きを調整することができる。
【００８０】
また、１群レンズ枠１０には、光軸方向に貫通する第１切欠き１１ｃが形成されており、調整ベース１５は、第１切欠き１１ｃに対応する薄肉部１５ｃにおいて、前固定枠８０に部分的に、光軸方向の位置が固定された状態で取り付けられている。
【００８１】
この構成によれば、調整ベース１５を、１群レンズ枠１０における光軸方向に貫通する第１切欠き１１ｃに対応する薄肉部１５ｃにおいて、前固定枠８０に部分的に取付固定しているため、１群レンズ枠１０が調整ベース１５に取り付けられた状態で、調整ベース１５の薄肉部１５ｃを前固定枠８０に取付固定するとき、１群レンズ枠１０がその取付固定の邪魔になることを抑制することができる。
【００８２】
また、調整ベース１５の薄肉部１５ｃは、他の部分よりも薄肉で剛性が低く、変形可能となっている。
【００８３】
この構成によれば、前固定枠８０に対する調整ベース１５の取付片１５ｇの、光軸方向の位置を調整したとき、薄肉部１５ｃが変形するため、調整ベース１５における薄肉部１５ｃ以外の他の部分が変形することを抑制することができ、確実に、前固定枠８０に対する調整ベース１５の傾きを調整することができる。
【００８４】
また、本実施形態のレンズ鏡筒３は、円筒状の外枠１６０と、後固定枠９０の内周に挿嵌された後固定枠９０と、後固定枠９０の外周に外枠１６０と対向するように設けられたズームモータ２３及び第１フォーカスモータ５２と、ズームモータ２３に接続されたフレキシブルプリント基板２５と、第１フォーカスモータ５２に接続されたフレキシブルプリント基板５４と、を備え、フレキシブルプリント基板２５は、後固定枠９０の外周（本体収容凹孔９４の内周）とズームモータ２３のモータ本体２３ａとの間に配置され、フレキシブルプリント基板５４は、後固定枠９０の外周（本体収容凹孔９７の内周）と第１フォーカスモータ５２のモータ本体５２ａとの間に配置されている。
【００８５】
この構成によれば、フレキシブルプリント基板２５，５４を後固定枠９０の外周とモータ２３，５２のモータ本体２３ａ，５２ａとの間に配置しているため、外枠１６０とモータ２３，５２のモータ本体２３ａ，５２ａとの間に配置している場合と比較して、後固定枠９０に対する外枠１６０の取付性を向上させることができる。
【００８６】
《その他の実施形態》
前記実施形態について、以下のような構成としてもよい。
【００８７】
前記実施形態では、１群レンズ枠１０の前固定枠８０への取付構造をレンズ交換式のデジタルカメラに適用しているが、これに限らず、例えば、一体式のカメラに適用してもよい。
【００８８】
また、前記実施形態では、１群レンズ枠１０の前固定枠８０への取付構造を全長固定型のズームレンズであるレンズ鏡筒３に適用しているが、これに限らず、例えば、沈胴式のレンズ鏡筒に適用してもよい。
【００８９】
また、前記実施形態では、前記取付構造を１群レンズ枠１０の前固定枠８０への取付構造に適用しているが、これに限らず、１群レンズ枠１０以外のレンズ枠の固定枠への取付構造に適用してもよい。
【００９０】
また、前記実施形態では、１群レンズ枠１０を固定ビス１２によって調整ベース１５に着脱可能に取り付けているが、これに限らず、例えば、着脱可能な圧入ピンや回転スナップフィックスによって着脱可能に取り付けてもよい。
【００９１】
また、前記実施形態では、１群レンズ枠１０は、３個のレンズＬ１〜Ｌ３を保持しているが、これに限らず、１個、２個又は４個以上のレンズを保持してもよい。
【００９２】
また、前記実施形態では、１群調整ピン１７を第２軸１７ｂ周りに回転させることによって、光軸ＡＸに対する１群レンズＧ１の傾きを調整しているが、これに限らず、例えば、以下のような構成にしてもよい。つまり、バネ部材が調整ベース１５と前固定枠８０の前壁８１との間に配置された状態で、調整ベース１５を固定ネジによって前壁８１に取り付け、その固定ネジのねじ込み量を調整することによって、光軸ＡＸに対する１群レンズＧ１の傾きを調整してもよい。尚、レンズ鏡筒３の全長の短縮及び部材点数の低減の観点からは、前記実施形態の構成が好ましい。
【００９３】
また、前記実施形態では、光軸ＡＸに対する１群レンズＧ１の傾きを調整しているが、これに限らず、例えば、１群レンズＧ１の、光軸Ａに直交する方向の位置を調整したり、１群レンズＧ１の光軸方向の位置を調整したりしてもよい。
【００９４】
また、前記実施形態では、前固定枠８０に対する調整ベース１５の傾きを調整しているが、これに限らず、前固定枠８０に対する調整ベース１５の位置を調整してもよい。ここで、「位置」とは、前固定枠８０に対して、光軸方向及び光軸ＡＸに直交する方向における調整ベース１５の位置である。前記実施形態では、調整ベース１５の位置を調整する場合、固定ビス１６の代わりに、光軸方向又は光軸ＡＸに直交する方向に調整可能な調整手段を用いることが好ましい。
【００９５】
また、前記実施形態では、１群レンズ枠１０の各第２貫通孔１１ｂに調整ベース１５の各突起１５ｂを挿入させることによって、調整ベース１５に対する１群レンズ枠１０の位置決めをしているが、これに限らず、例えば、固定ビス１２を１群レンズ枠１０の第１貫通孔１１ａに挿通させて調整ベース１５の第１貫通孔１５ａにネジ止めすることによって、前記位置決めをしてもよい。つまり、このように構成されたネジ止め部が位置決め部を構成している。
【００９６】
また、前記実施形態では、第２貫通孔１１ｂと突起１５ｂとは、それぞれ、３対配置されているが、４対以上配置されてもよい。
【００９７】
また、前記実施形態では、３対の第２貫通孔１１ｂと３対の突起１５ｂとは、それぞれ、周方向に互いに異なる間隔で配置されているが、これに限らず、相隣接する第２貫通孔１１ｂ（相隣接する突起１５ｂ）同士の間隔のうち、２つの間隔が同じで、残り１つの間隔がそれらの２つの間隔と異なってもよい。
【００９８】
尚、以上の実施形態は、本質的に好ましい例示であって、本発明、その適用物、あるいはその用途の範囲を制限することを意図するものではない。
【産業上の利用可能性】
【００９９】
以上説明したレンズ鏡筒は、レンズの位置又は傾き調整を行った後、レンズ鏡筒の分解・組立を行っても、そのレンズ位置又は傾きを維持することができるため、撮像装置等の技術分野において有用である。
【符号の説明】
【０１００】
１            撮像装置
２            カメラ本体
２ａ          ボディマウント
２ｂ          撮像素子
３            レンズ鏡筒
１０          １群レンズ枠
１１Ａ        本体
１１Ｂ        フランジ
１１ａ        第１貫通孔
１１ｂ        第２貫通孔（位置決め部）
１１ｃ        第１切欠き（開口）
１２          固定ビス
１５          調整ベース（レンズ調整枠）
１５ａ        第１貫通孔
１５ｂ        突起（位置決め部）
１５ｃ        薄肉部（固定部）
１５ｄ        第２貫通孔
１５ｅ        第３貫通孔
１５ｆ        第４貫通孔
１５ｇ        取付片（取付部）
１５ｈ        長孔 
１６          固定ビス
１７          １群調整ピン
１７ａ        第１軸
１７ｂ        第２軸
２０          ２群レンズ枠
２３          ズームモータ
２３ａ        モータ本体
２３ｂ        出力ネジ
２４          取付板
２４ａ        板本体
２４ｂ        前板
２４ｃ        後板
２５          フレキシブルプリント基板
３０          ３群レンズ枠 
４０          ４群レンズ枠 
５０          ５群レンズ枠 
５２          第１フォーカスモータ
５２ａ        モータ本体
５２ｂ        出力ネジ
５３          取付板
５３ａ        板本体
５３ｂ        後板
５３ｂ        前板
５４          フレキシブルプリント基板
６０          ６群レンズ枠
７０          ７群レンズ枠
８０          前固定枠
８１          前壁
８１ａ        凹孔
８１ｂ        固定孔
８１ｃ        第１突起
８１ｄ        第２突起
８１ｆ        円孔
８５          ネジ収容凹孔
８６          取付座
９０          後固定枠
９３          嵌合孔
９４          本体収容凹孔
９５          ネジ収容凹孔
９６          取付座
９７          本体収容凹孔
１００        プリント基板
１１０        レンズマウント
１２０        フィルタリング
１３０        フォーカスリング
１４０        中間リング
１５０        ズームリング
１６０        外枠
１６１        ズームレバー
Ｇ１〜Ｇ７    １〜７群レンズ
Ｌ１〜Ｌ１４  第１〜第１４レンズ
【図１】
0005845465.tif 000002
【図２】
0005845465.tif 000003
【図３】
0005845465.tif 000004
【図４】
0005845465.tif 000005
【図５】
0005845465.tif 000006
【図６】
0005845465.tif 000007
【図７】
0005845465.tif 000008
【図８】
0005845465.tif 000009
【図９】
0005845465.tif 000010
【図１０】
0005845465.tif 000011
【図１１】
0005845465.tif 000012
【図１２】
0005845465.tif 000013
【図１３】
0005845465.tif 000014
【図１４】
0005845465.tif 000015
【図１５】
0005845465.tif 000016